(57)【要約】      （修正有）【課題】部品点数を削減し、モジュールが制約を受けずに、容易に組立作業ができる押釦構造、それを備えた時計、およびその時計の組立方法を提供する。【解決手段】時計モジュールが組み込まれ、かつ貫通孔が設けられた腕時計ケースと、この腕時計ケースの貫通孔に対してスライド可能に挿入され、かつ小径部１８と大径部１９とが設けられた軸部１５を有する釦部材１２と、時計モジュールを収納して腕時計ケース内に組み込まれる中枠８と、この中枠８に設けられ、釦部材１２の大径部１９を腕時計ケース内に突出させた際に、大径部１９によって弾力的に押し広げられて通過させ、小径部１８をその軸方向にスライド可能な状態で挟む抜止め部２２と、を備えている。従って、釦部材１２を取り付ける前に、時計モジュールを中枠８によって腕時計ケース内に組み付けることができ、この状態で抜止め部２２を押し広げて釦部材１２を簡単に取り付ける。【選択図】図５
2016031257.tif 000002
【特許請求の範囲】
【請求項１】
モジュールが組み込まれ、かつ貫通孔が設けられたケースと、
前記ケースの前記貫通孔に対してスライド可能に挿入され、かつ前記ケース内に突出する内端部に小径部と大径部とが設けられた軸部、および当該軸部の外端部に設けられた頭部を有する釦部材と、
前記ケース内に組み込まれ、前記モジュールを前記ケース内に収納する組付部材と、
前記組付部材に設けられ、かつ前記釦部材の前記軸部を前記ケースの前記貫通孔に対して挿入し、前記大径部を前記ケース内に突出させた際に、前記大径部によって弾力的に押し広げられて前記大径部を通過させることにより、前記小径部をその軸方向にスライド可能な状態で挟む抜止め部と、
を備えていることを特徴とする押釦構造。
【請求項２】
請求項１に記載の押釦構造において、前記抜止め部は、互いに広がる方向に弾性変形する一対の挟持ストッパ片を備えていることを特徴とする押釦構造。
【請求項３】
請求項２に記載の押釦構造において、前記釦部材の前記大径部は、その外径が前記軸部の外径とほぼ同じ大きさで、前記ケースの内部側に位置する前記小径部の内端部に設けられ、前記軸部が前記ケースの前記貫通孔に対して外部側から押し込まれた際に、前記抜止め部の前記一対の挟持ストッパ片を弾力的に押し広げて通り抜けることを特徴とする押釦構造。
【請求項４】
請求項２または請求項３に記載の押釦構造において、前記抜止め部の前記一対の挟持ストッパ片は、その間隔が前記軸部の前記小径部の外径とほぼ同じ長さで、かつ前記組付部材を前記ケース内から抜き出す方向と反対側に位置する各端部間が開放されていることを特徴とする押釦構造。
【請求項５】
請求項２〜請求項４のいずれかに記載の押釦構造において、前記釦部材の前記大径部は、前記ケースの内部側に位置する先端側から前記ケースの外部側に向けて次第に外径が大きくなる押し広げ面と、前記軸部が前記ケースの外部に向けて押し出された際に前記ケースの内部側に位置する前記一対の挟持ストッパ片の各内側面に当接する当接面と、を備えていることを特徴とする押釦構造。
【請求項６】
請求項１〜請求項５のいずれかに記載の押釦構造において、前記釦部材の前記小径部は、その軸方向の長さが前記釦部材の操作ストロークとほぼ同じ長さに形成されていることを特徴とする押釦構造。
【請求項７】
請求項１〜請求項６のいずれかに記載された押釦構造を備えていることを特徴とする時計。
【請求項８】
モジュールを組付部材によってケース内に収納すると共に、前記組付部材に設けられた抜止め部を前記ケースの貫通孔に対応させる第１の工程と、
釦部材の軸部を前記ケースの前記貫通孔に対して挿入し、前記軸部の大径部を前記ケース内に突出させる際に、前記大径部によって前記抜止め部を弾力的に押し広げて前記大径部を通過させることにより、前記軸部の小径部をその軸方向にスライド可能な状態で前記抜止め部によって挟む第２の工程と、
を備えていることを特徴とする時計の組立方法。
【請求項９】
請求項８に記載の時計の組立方法において、前記組付部材と共に前記モジュールを前記ケース内から取り出す際に、前記釦部材の前記小径部を前記抜止め部で挟んだ状態で、前記小径部を前記抜止め部に沿って相対的に移動させることにより、前記抜止め部から前記小径部を離脱させる第３の工程を備えていることを特徴とする時計の組立方法。
【発明の詳細な説明】
【技術分野】
【０００１】
この発明は、時計、携帯電話機、携帯情報端末機などの電子機器に用いられる押釦構造、それを備えた時計、およびその時計の組立方法に関する。
【背景技術】
【０００２】
例えば、腕時計の押釦構造においては、特許文献１に記載されているように、腕時計ケースの貫通孔にパイプ部材を嵌め込み、このパイプ部材に釦部材の軸部をスライド可能に挿入し、この軸部が腕時計ケース内に突出する内端部にＥリングなどの抜止め部材を取り付けることにより、釦部材が腕時計ケースの外部に抜け出さないように構成されたものが知られている。
【先行技術文献】
【特許文献】
【０００３】
【特許文献１】特開平１１−１０９０５７号公報
【発明の概要】
【発明が解決しようとする課題】
【０００４】
このような腕時計の押釦構造では、腕時計ケースのパイプ部材に釦部材の軸部を挿入し、この軸部の内端部を腕時計ケース内に突出させた状態でなければ、軸部の内端部に抜止め部材を取り付けることができないため、腕時計ケース内に時計モジュールを組み付ける前に、予め釦部材を腕時計ケースに取り付ける必要がある。
【０００５】
このため、この押釦構造においては、組立作業に制約があり、組立作業が面倒であるばかりか、抜止め部材がＥリングなどの小さな部品であるため、腕時計ケース内に突出した軸部の内端部に抜止め部材を取り付ける作業および取り外す作業も面倒であるという問題があるほか、腕時計ケース内に突出した釦部材の軸部によって時計モジュールが制約を受けるなどの問題もある。
【０００６】
この発明が解決しようとする課題は、部品点数を削減し、モジュールが制約を受けずに、容易に組立作業ができる押釦構造、それを備えた時計、およびその時計の組立方法を提供することである。
【課題を解決するための手段】
【０００７】
この発明は、モジュールが組み込まれ、かつ貫通孔が設けられたケースと、このケースの前記貫通孔に対してスライド可能に挿入され、かつ前記ケース内に突出する内端部に小径部と大径部とが設けられた軸部、および当該軸部の外端部に設けられた頭部を有する釦部材と、前記ケース内に組み込まれ、前記モジュールを前記ケース内に収納する組付部材と、この組付部材に設けられ、かつ前記釦部材の前記軸部を前記ケースの前記貫通孔に対して挿入し、前記大径部を前記ケース内に突出させた際に、前記大径部によって弾力的に押し広げられて前記大径部を通過させることにより、前記小径部をその軸方向にスライド可能な状態で挟む抜止め部と、を備えていることを特徴とする押釦構造である。
【発明の効果】
【０００８】
この発明によれば、ケースの貫通孔に対して釦部材を取り付ける前に、ケース内にモジュールを組付部材によって容易に組み付けることができ、この状態でケースの貫通孔に対して釦部材の軸部を挿入させて軸部の大径部をケース内に突出させることにより、軸部の大径部によって抜止め部を弾力的に押し広げて大径部を通過させることができる。これにより、抜止め部で小径部をその軸方向にスライド可能な状態で挟むことができると共に、大径部によって釦部材がケースの外部に抜け出すのを防ぐことができる。このため、別部品としての抜止め部材が不要となるので、部品点数を削減することができ、かつモジュールが制約を受けずに、容易に組立作業をすることができる。
【図面の簡単な説明】
【０００９】
【図１】この発明を腕時計に適用した一実施形態を示した拡大正面図である。
【図２】図１に示された腕時計のＡ−Ａ矢視における要部を示した拡大断面図である。
【図３】図１に示された腕時計を分解して示した拡大斜視図である。
【図４】図２に示された腕時計を分解して示した拡大断面図である。
【図５】図２に示された腕時計において、中枠の抜止め部に釦部材の小径部がスライド可能に取り付けられた状態を示した要部の拡大斜視図である。
【図６】図５に示された中枠の抜止め部に釦部材の大径部が押し当てられて一対の挟持ストッパ片を押し広げる状態を示し、（ａ）はそれを上方から見た要部の拡大平面図、（ｂ）はそれを腕時計ケース１の内部側から見た要部の拡大正面図である。
【図７】図５に示された中枠の抜止め部を釦部材の大径部が通り抜けて釦部材の小径部が一対の挟持ストッパ片間に配置された状態を示し、（ａ）はそれを上方から見た要部の拡大平面図、（ｂ）はそれを腕時計ケース１の内部側から見た要部の拡大正面図である。
【発明を実施するための形態】
【００１０】
以下、図１〜図７を参照して、この発明を腕時計に適用した一実施形態について説明する。
この腕時計は、図１〜図３に示すように、腕時計ケース１を備えている。この腕時計ケース１は、円筒状の本体ケース部２とリング状の上部ケース部３とで構成されている。本体ケース部２の１２時側と６時側とには、バンド取付部４がそれぞれ外部に突出して設けられている。
【００１１】
この腕時計ケース１の上部開口部、つまり上部ケース部３の上部開口部には、図２に示すように、時計ガラス５がパッキン５ａを介して取り付けられている。また、この腕時計ケース１の下部、つまり本体ケース部２の下部には、裏蓋６が防水リング６ａを介して取り付けられている。さらに、この腕時計ケース１の内部には、時計モジュール７が組付部材である中枠８によって組み付けられている。
【００１２】
時計モジュール７は、図示しないが、時計機能に必要な各種の部品がハウジングに組み込まれた構成になっている。この場合、時計モジュール７は、図２および図３に示すように、２時側、４時側、８時側、１０時側に位置する各側部にスイッチ部７ａがそれぞれ設けられている。このスイッチ部７ａは、図示しないが、時計モジュール７に設けられたスイッチ接点部と、このスイッチ接点部に接離可能に接触する接点板と、を備えている。
【００１３】
組付部材である中枠８は、図２〜図５に示すように、時計モジュール７を収納する円筒状に形成され、時計モジュール７を腕時計ケース１の本体ケース部２内に組み付けるように構成されている。この場合、時計モジュール７の上面には、文字板１０が配置されており、この文字板１０の上面における周縁部には、リング状の見切り部材１１が配置されている。
【００１４】
文字板１０は、図２に示すように、その外径が時計モジュール７の外径とほぼ同じ大きさに形成されている。また、見切り部材１１は、腕時計ケース１の本体ケース部２と上部ケース部３とに跨った状態で、時計ガラス５と文字板１０との間に配置されている。この見切り部材１１は、その外径が本体ケース部２と上部ケース部３との各内径とほぼ同じ大きさで、かつ内径が文字板１０の外径よりも小さく形成されている。
【００１５】
一方、腕時計ケース１の２時側、４時側、８時側、１０時側に位置する各側部には、図１〜図４に示すように、釦部材１２が時計モジュール７の各スイッチ部７ａにそれぞれ対応して設けられている。この場合、腕時計ケース１の本体ケース部２における２時側、４時側、８時側、１０時側に位置する各側部には、貫通孔１３がそれぞれ内部と外部とに貫通して設けられている。
【００１６】
これら各貫通孔１３には、図２および図４に示すように、筒状部材１４がそれぞれ嵌め込まれている。この筒状部材１４は、本体ケース部２の貫通孔１３内に嵌め込まれる小径筒部１４ａと、本体ケース部２の外部に配置される大径筒部１４ｂと、これら小径筒部１４ａと大径筒部１４ｂとを連結する連結部１４ｃと、を有している。
【００１７】
釦部材１２は、図２および図４に示すように、筒状部材１４の小径筒部１４ａ内にスライド可能に挿入される軸部１５と、この軸部１５の外端部に設けられて筒状部材１４の大径筒部１４ｂ内に出没可能に配置される頭部１６と、を備えている。この場合、軸部１５は、その外径が筒状部材１４の小径筒部１４ａの内径とほぼ同じ大きさで、軸方向の長さが筒状部材１４の軸方向の長さよりも少し長く形成されている。
【００１８】
これにより、軸部１５は、図２に示すように、その一端部である内端部が腕時計ケース１内に突出し、他端部である外端部が筒状部材１４の大径筒部１４ｂ内に配置されるように構成されている。この軸部１５の外周面には、複数の防水リング１７が設けられている。これら複数の防水リング１７は、その各外周部が筒状部材１４の小径筒部１４ａの内周面に圧接した状態で摺動するように構成されている。
【００１９】
また、この軸部１５の内端部には、図２および図４に示すように、小径部１８と大径部１９とが設けられている。小径部１８は、その外径が軸部１５の外径よりも小さく形成され、かつその軸方向の長さが釦部材１２の操作ストロークとほぼ同じ長さに形成されている。大径部１９は、腕時計ケース１の内部側に位置する小径部１８の内端部に設けられ、その外径が小径部１８の外径よりも大きく、かつ軸部の外径と同じか、それよりも少し小さく形成されている。
【００２０】
一方、頭部１６は、図２に示すように、その外径が筒状部材１４の大径筒部１４ｂの内径とほぼ同じ大きさの円筒状に形成され、その軸方向の長さが大径筒部１４ｂの軸方向の長さとほぼ同じ長さに形成されている。これにより、頭部１６は、筒状部材１４の大径筒部１４ｂ内に出没可能に配置されるように構成されている。この場合、釦部材１２は、コイルばね２０によって腕時計ケース１の外部に向けて押し出されるように付勢されている。
【００２１】
このコイルばね２０は、図２に示すように、筒状部材１４の大径筒部１４ｂ内に位置する軸部１５の外周に沿って配置されている。すなわち、このコイルばね２０は、その一端部が筒状部材１４の小径筒部１４ａと大径筒部１４ｂとの連結部１４ｃに弾接し、他端部が頭部１６の内端面に弾接し、これにより釦部材１２を腕時計ケース１の外部に向けて押し出す方向に付勢するように構成されている。
【００２２】
ところで、中枠８における２時側、４時側、８時側、１０時側に位置する個所には、図２〜図５に示すように、ほぼ四角形状の切欠き部２１が時計モジュール７の各スイッチ部７ａと各釦部材１２の各軸部１５とにそれぞれ対応して設けられている。この切欠き部２１は、その下辺部２１ａを残して上側が開放されている。この切欠き部２１内には、図５〜図７に示すように、釦部材１２が腕時計ケース１から外部に抜け出すのを阻止するための抜止め部２２が釦部材１２の軸部１５に対応して設けられている。
【００２３】
この抜止め部２２は、図５〜図７に示すように、釦部材１２の軸部１５を腕時計ケース１の筒状部材１４に挿入させて軸部１５の大径部１９を腕時計ケース１内に突出させた際に、大径部１９によって弾力的に押し広げられて大径部１９を通過させることにより、小径部１８をその軸方向にスライド可能な状態で挟むように構成されている。
【００２４】
すなわち、この抜止め部２２は、図５〜図７に示すように、互いに広がる方向に弾性変形する一対の挟持ストッパ片２３を備えている。これら一対の挟持ストッパ片２３は、中枠８に設けられた切欠き部２１の下辺部２１ａにそれぞれ起立した状態で一体に設けられている。これら一対の挟持ストッパ片２３それぞれは、上下方向に細長い板状に形成されている。
【００２５】
この場合、一対の挟持ストッパ片２３は、図５〜図７に示すように、中枠８の径方向における厚み（板厚）が中枠８の肉厚の厚みのほぼ半分程度の厚みで、中枠８の肉厚よりも十分に薄く形成されている。これら一対の挟持ストッパ片２３は、時計モジュール７の外周面と腕時計ケース１の内周面との間に配置されて、時計モジュール７の各スイッチ部７ａと各釦部材１２の各軸部１５とにそれぞれ対応するように構成されている。
【００２６】
また、一対の挟持ストッパ片２３は、図５〜図７に示すように、その間隔が釦部材１２の軸部１５に設けられた小径部１８の外径とほぼ同じ長さに形成されている。また、これら一対の挟持ストッパ片２３は、中枠８を腕時計ケース１内から抜き出す方向に対して反対側に位置する各上部側の端部（図６では上端部）間が開放された構成になっている。
【００２７】
これにより、一対の挟持ストッパ片２３は、図５〜図７に示すように、釦部材１２の軸部１５に設けられた小径部１８が一対の挟持ストッパ片２３間をその上下方向に相対的に移動可能な状態で、かつ一対の挟持ストッパ片２３間に小径部１８がその軸方向に沿って移動可能な状態で配置されるように構成されている。
【００２８】
この場合、一対の挟持ストッパ片２３における各下端部に位置する各両側部、つまり中枠８の切欠き部２１の下辺部２１ａに位置する一対の挟持ストッパ片２３の付け根部における各両側部には、図５〜図７に示すように、切込部２３ａがそれぞれ設けられている。これら切込部２３ａは、釦部材１２の軸部１５の大径部１９が一対の挟持ストッパ片２３間を押し広げて通り抜ける際に、一対の挟持ストッパ片２３を互いに押し広げる方向に弾性変形し易くさせるように構成されている。
【００２９】
また、一対の挟持ストッパ片２３の各外側面、つまり腕時計ケース１の外部側に位置する一対の挟持ストッパ片２３の各外側面には、図６（ａ）および図７（ａ）に示すように、釦部材１２の軸部１５の大径部１９が当接する傾斜面２３ｂがそれぞれ設けられている。これら傾斜面２３ｂは、一対の挟持ストッパ片２３の外側面側から一対の挟持ストッパ片２３間に向けて次第に一対の挟持ストッパ片２３の各厚みが薄くなるように構成されている。
【００３０】
この場合、釦部材１２の大径部１９は、図６および図７に示すように、腕時計ケース１の内部側に位置する先端側から腕時計ケース１の外部側に向けて次第に外径が一対の挟持ストッパ片２３間の長さよりも大きくなる押し広げ面１９ａと、軸部１５が腕時計ケース１の外部に向けて押し出された際に腕時計ケース１の内部側に位置する一対の挟持ストッパ片２３の各内側面に当接する当接面１９ｂと、を備えている。押し広げ面１９ａは、球体の一部である球状面に形成されている。
【００３１】
これにより、釦部材１２は、図６（ａ）および図６（ｂ）に示すように、軸部１５が筒状部材１４内に外部から挿入されて大径部１９が腕時計ケース１内に突出し、この突出した大径部１９の押し広げ面１９ａが一対の挟持ストッパ片２３間に押し込まれる際に、この大径部１９の押し広げ面１９ａが、一対の挟持ストッパ片２３の各傾斜面２３ｂに当接し、これら傾斜面２３ｂに沿って相対的に移動しながら、一対の挟持ストッパ片２３を徐々に押し広げて通り抜けるように構成されている。
【００３２】
この場合、一対の挟持ストッパ片２３は、図６（ａ）および図６（ｂ）に示すように、大径部１９の押し広げ面１９ａによって押し広げられる際に、一対の挟持ストッパ片２３の付け根部に設けられた各切込部２３ａと、一対の挟持ストッパ片２３の外側面に設けられた各傾斜面２３ｂとによって、中枠８の円周方向に沿って押し広げられるように弾性変形すると共に、時計モジュール７側に向けて傾く方向にも弾性変形するように構成されている。
【００３３】
また、この釦部材１２は、図６（ａ）および図６（ｂ）に示すように、大径部１９の押し広げ面１９ａが一対の挟持ストッパ片２３を弾力的に押し広げて通過した際に、図７（ａ）および図７（ｂ）に示すように、一対の挟持ストッパ片２３が元の状態に弾性復帰して、一対の挟持ストッパ片２３間に軸部１５の小径部１８がその軸方向にスライド可能な状態で挟まれるように構成されている。
【００３４】
また、この釦部材１２は、図２および図７に示すように、一対の挟持ストッパ片２３間に軸部１５の小径部１８が挟まれた状態で、コイルばね２０のばね力によって頭部１６が腕時計ケース１の外部に押し出された際に、図７（ａ）および図７（ｂ）に示すように、大径部１９の当接面１９ｂが腕時計ケース１の内部側に位置する一対の挟持ストッパ片２３の各内側面に当接し、釦部材１２が腕時計ケース１の外部に抜け出さないように構成されている。
【００３５】
さらに、この釦部材１２は、図２、図５および図７に示すように、大径部１９の当接面１９ｂが一対の挟持ストッパ片２３に当接した状態で、腕時計ケース１内から中枠８を時計モジュール７と共に取り出す際に、軸部１５の小径部１８が一対の挟持ストッパ片２３に沿ってこれら一対の挟持ストッパ片２３間を相対的に上側に移動して、小径部１８が一対の挟持ストッパ片２３間から上方に抜け出すように構成されている。
【００３６】
これにより、中枠８は、図２〜図４に示すように、釦部材１２が腕時計ケース１の筒状部材１４に取り付けられた状態で、時計モジュール７と共に腕時計ケース１内からその下側の外部に取り出せるように構成されている。この場合、釦部材１２の大径部１９は、その先端つまり大径部１９の押し広げ面１９ａの先端が、時計モジュール７の外周面に接近した状態で、中枠８の切欠き部２１内に配置されるように構成されている。
【００３７】
次に、このような腕時計を組み立てる場合について説明する。
この場合には、予め、腕時計ケース１の本体ケース部２における２時側、４時側、８時側、１０時側に位置する各側部に設けられた各貫通孔１３に筒状部材１４の小径筒部１４ａをそれぞれ嵌め込む。また、腕時計ケース１の上部開口部、つまり上部ケース部３の上部開口部時計ガラス４を取り付ける。
【００３８】
この状態で、腕時計ケース１の本体ケース部２内に、その下部側から見切り部材１１を挿入させて時計ガラス４の下面における周縁部に配置すると共に、時計モジュール７を組付部材である中枠８と共に腕時計ケース１内に配置する。このときには、予め、時計モジュール７を中枠８内に嵌め込んで収納しても良く、また時計モジュール７を腕時計ケース１内に収納した後に中枠８を腕時計ケース１内に配置しても良い。
【００３９】
この場合には、時計モジュール７の各スイッチ部７ａを中枠８の複数の切欠き部２１に対応させると共に、中枠８の各切欠き部２１の各開放側を上に向けた状態で、時計モジュール７および中枠８を腕時計ケース１内に配置すれば良い。また、時計モジュール７および中枠８を腕時計ケース１内に配置する際には、時計モジュール７上に文字板１０を配置し、この文字板１０と共に時計モジュール７および中枠８を腕時計ケース１内に配置する。
【００４０】
このときには、文字板１０の上面における周縁部を見切り部材１１の下面に当接させた状態で、時計モジュール７の各スイッチ部７ａおよび中枠８の各切欠き部２１を腕時計ケース１における２時側、４時側、８時側、１０時側に位置する各貫通孔１３に設けられた各筒状部材１４に対応させる。
【００４１】
この場合には、釦部材１２が筒状部材１４に挿入されていないため、見切り部材１１、文字板１０、時計モジュール７、および中枠８を腕時計ケース１内に配置する際に、釦部材１２が腕時計ケース１内に突出して邪魔をすることがない。このため、見切り部材１１、文字板１０、時計モジュール７、および中枠８が釦部材１２によって制約を受けることがなく、文字板１０、時計モジュール７、および中枠８を容易にかつ良好に腕時計ケース１内に組み込むことができる。
【００４２】
この状態で、腕時計ケース１に設けられた筒状部材１４内に釦部材１２を挿入する。このときには、予め、軸部１５の外周に複数の防水リング１７を取り付けると共に、コイルばね２０を配置する。この状態で、筒状部材１４の大径筒部１４ｂ側から小径筒部１４ａ内に釦部材１２の軸部１５を挿入する。すると、複数の防水リング１７が小径筒部１４ａの内周面に摺動可能に圧接し、コイルばね２０が筒状部材１４の連結部１４ｃと頭部１６の内端面との間に配置される。
【００４３】
そして、釦部材１２の頭部１６をコイルばね２０のばね力に抗して押圧し、軸部１５の内端部に位置する小径部１８と大径部１９とを腕時計ケース１内に突出させる。すると、釦部材１２の大径部１９が中枠８の切欠き部２１内に設けられた抜止め部２２に押し当てられる。このときには、大径部１９の押し広げ面１９ａが抜止め部２２の一対の挟持ストッパ片２３間に押し込まれる。
【００４４】
この場合には、図６（ａ）に示すように、大径部１９の押し広げ面１９ａが、腕時計ケース１の内部側に位置する先端側から腕時計ケース１の外部側に向けて次第に外径が大きくなる球状面に形成されている。また、抜止め部２２の一対の挟持ストッパ片２３の各外側面には、釦部材１２の大径部１９の押し広げ面１９ａが当接する傾斜面２３ｂがそれぞれ設けられている。
【００４５】
このため、大径部１９の押し広げ面１９ａが抜止め部２２の一対の挟持ストッパ片２３間に押し込まれる際には、図６（ａ）および図６（ｂ）に示すように、大径部１９の押し広げ面１９ａが、一対の挟持ストッパ片２３の各傾斜面２３ｂに当接し、これら傾斜面２３ｂに沿って相対的に移動しながら、一対の挟持ストッパ片２３を徐々に押し広げることにより、大径部１９の押し広げ面１９ａが一対の挟持ストッパ片２３間を通過する。
【００４６】
すなわち、一対の挟持ストッパ片２３が大径部１９の押し広げ面１９ａによって押し広げられる際には、一対の挟持ストッパ片２３の付け根部に設けられた各切込部２３ａと、腕時計ケース１の外部側に位置する一対の挟持ストッパ片２３の各外側面に設けられた傾斜面２３ｂとによって、一対の挟持ストッパ片２３が中枠８の円周方向に沿って押し広げられるように弾性変形すると共に、時計モジュール７側に向けて傾く方向にも弾性変形する。
【００４７】
そして、大径部１９の押し広げ面１９ａが一対の挟持ストッパ片２３を押し広げて通過した際には、図７（ａ）および図７（ｂ）に示すように、一対の挟持ストッパ片２３が元の状態に弾性復帰して、一対の挟持ストッパ片２３間に軸部１５の小径部１８がその軸方向にスライド可能な状態で挟まれる。この状態では、コイルばね２０のばね力によって頭部１６が腕時計ケース１の外部に押し出される。
【００４８】
このときには、小径部１８の外径よりも大きい大径部１９の当接面１９ｂが、腕時計ケース１の内部側に位置する一対の挟持ストッパ片２３の各内側面に当接し、釦部材１２が腕時計ケース１の外部に抜け出すことがない。これにより、釦部材１２が腕時計ケース１の筒状部材１４に取り付けられる。この後、腕時計ケース１の本体ケース部２の下部に裏蓋５を取り付ける。これにより、腕時計が組み立てられる。
【００４９】
一方、このように組み立てられた腕時計を分解する場合には、腕時計ケース１の本体ケース部２の下部から裏蓋５を取り外す。この状態で、腕時計ケース１内から時計モジュール７と共に中枠８を、腕時計ケース１の下側に取り出す。このときには、図５および図７（ｂ）に示すように、釦部材１２の軸部１５の小径部１８が一対の挟持ストッパ片２３間に挟まれた状態で、一対の挟持ストッパ片２３に沿って相対的に上側に移動し、一対の挟持ストッパ片２３の各上端部間から抜け出す。
【００５０】
これにより、腕時計ケース１内から時計モジュール７を中枠８と共に簡単にかつ容易に取り出すことができる。また、この状態で、釦部材１２を腕時計ケース１の外部に向けて押し出すと、頭部１６が筒状部材１４の大径筒部１４ｂから押し出され、軸部１５が筒状部材１４の小径筒部１４ａから押し出される。これにより、釦部材１２を簡単にかつ容易に取り外すことができる。
【００５１】
次に、このような腕時計の釦部材１２の作用について説明する。
この釦部材１２は、通常の状態で、コイルばね２０のばね力によって押し出される方向に付勢されている。この状態では、図２に示すように、釦部材１２の軸部１５が筒状部材１４の小径筒部１４ａ内をスライドして、頭部１６が腕時計ケース１の外部に向けて押し出され、頭部１６の外端部が筒状部材１４の大径筒部１４ｂ内から外部に突出する。
【００５２】
また、このときには、釦部材１２の軸部１５の小径部１８が腕時計ケース１内に配置された中枠８の抜止め部２２における一対の挟持ストッパ片２３間をスライドして、軸部１５の大径部１９の当接面１９ｂが腕時計ケース１の内部側に位置する一対の挟持ストッパ片２３の内側面に当接する。これにより、釦部材１２が腕時計ケース１の外部に抜け出すことがない。このときには、釦部材１２の大径部１９が時計モジュール７のスイッチ部７ａから離れるので、スイッチ部７ａがオフ状態になる。
【００５３】
この状態で、釦部材１２の頭部１６をコイルばね２０のばね力に抗して押圧操作すると、頭部１６が筒状部材１４の大径筒部１４ｂ内に押し込まれると共に、軸部１５が筒状部材１４の小径筒部１４ａ内をスライドし、軸部１５の内端部に設けられた小径部１８および大径部１９が腕時計ケース１の内部に向けてスライドして、腕時計ケース１内に突出する。
【００５４】
このときには、釦部材１２の軸部１５の小径部１８が中枠８の抜止め部２２の一対の挟持ストッパ片２３間をスライドし、軸部１５の大径部１９が一対の挟持ストッパ片２３から離れて腕時計ケース１の内部に押し込まれる。これにより、釦部材１２の大径部１９が腕時計ケース１内の時計モジュール７のスイッチ部７ａを押圧するので、スイッチ部７ａがオン動作する。
【００５５】
このように、この腕時計によれば、時計モジュール７が組み込まれ、かつ貫通孔１３が設けられた腕時計ケース１と、この腕時計ケース１の貫通孔１３に対してスライド可能に挿入され、かつ腕時計ケース１内に突出する内端部に小径部１８と大径部１９とが設けられた軸部１５を有する釦部材１２と、腕時計ケース１内に組み込まれて時計モジュール７を腕時計ケース１内に収納する組付部材である中枠８と、この中枠８に一体に設けられ、釦部材１２を腕時計ケース１の貫通孔１３に対して挿入させて大径部１９を腕時計ケース１内に突出させた際に、大径部１９によって弾力的に押し広げられて大径部１９を通過させ、小径部１８をその軸方向にスライド可能な状態で挟む抜止め部２２と、を備えていることにより、部品点数を削減し、かつ時計モジュール７が制約を受けず、容易に組立作業ができる。
【００５６】
すなわち、この腕時計では、腕時計ケース１の貫通孔１３に対して釦部材１２を取り付ける前に、腕時計ケース１内に時計モジュール７を組付部材である中枠８によって簡単にかつ容易に組み付けることができる。この状態で、腕時計ケース１の貫通孔１３に対して釦部材１２の軸部１５を挿入させて、軸部１５の大径部１９を腕時計ケース１内に突出させることにより、軸部１５の大径部１９によって抜止め部２２を弾力的に押し広げることができるので、大径部１９を通過させることができ、これにより抜止め部２２で軸部１５の小径部１８をその軸方向にスライド可能な状態で挟むことができると共に、大径部１９によって釦部材１２が腕時計ケース１の外部に抜け出すのを防ぐことができる。
【００５７】
このため、この腕時計では、Ｅリングなどの別部品を用いる必要がなく、腕時計ケース１内に時計モジュール７を組み付けるための中枠８に抜止め部２２を設けるだけで良いので、部品点数を削減することができる。また、この腕時計では、腕時計ケース１内に時計モジュール７を組み込んだ状態で釦部材１２を腕時計ケース１の貫通孔１３に対して挿入するだけで、釦部材１２を腕時計ケース１に簡単にかつ容易に取り付けることできるので、時計モジュール７が釦部材１２による制約を受けることがなく、容易に組立作業をすることができる。
【００５８】
これにより、この腕時計では、時計モジュール７、文字板１０、および見切り部材１１が釦部材１２によって制約を受けことがないので、時計モジュール７、文字板１０、および見切り部材１１を腕時計ケース１の外形に対して最大限に大きくすることができると共に、時計モジュール７の製作が容易にできるほか、腕時計として、外観的にもデザイン的にも好ましいものを提供することができる。
【００５９】
この場合、抜止め部２２は、互いに広がる方向に弾性変形する一対の挟持ストッパ片２３を備えていることにより、腕時計ケース１内に時計モジュール７を中枠８によって組み付けた状態で、釦部材１２を腕時計ケース１の貫通孔１３に対して取り付ける際に、釦部材１２を貫通孔１３内に対して押し込んで、軸部１５の大径部１９を腕時計ケース１の内部に突出させると、この大径部１９によって抜止め部２２の一対の挟持ストッパ片２３が弾力的に押し広げられるので、大径部１９を良好に通過させることができる。
【００６０】
すなわち、一対の挟持ストッパ片２３は、中枠８に設けられた切欠き部２１の下辺部２１ａに起立した状態で一体に設けられ、この切欠き部２１の下辺部２１ａに位置する一対の挟持ストッパ片２３の付け根部に切込部２３ａが設けられていることにより、大径部１９によって押し広げられる際に、切込部２３ａによって、一対の挟持ストッパ片２３を中枠８の円周方向に沿って押し広げる方向に良好に弾性変形させることができると共に、時計モジュール７側に向けて傾く方向にも弾性変形させることができ、これにより大径部１９を確実にかつ良好に通過させることができる。
【００６１】
また、一対の挟持ストッパ片２３は、腕時計ケース１の外部側に位置する各外側面それぞれに、釦部材１２の大径部１９が当接する傾斜面２３ｂが設けられていることにより、大径部１９によって一対の挟持ストッパ片２３を押し広げられる際に、各傾斜面２３ｂによっても、一対の挟持ストッパ片２３を中枠８の円周方向に沿って押し広げる方向に良好に弾性変形させることができると共に、時計モジュール７側に向けて傾く方向にも弾性変形させることができ、これにより大径部１９を確実にかつ良好に通過させることができる。
【００６２】
この場合、釦部材１２の大径部１９は、その外径が軸部１５の外径とほぼ同じ大きさで、腕時計ケース１の内部側に位置する軸部１５の小径部１８の内端部に設けられ、軸部１５が腕時計ケース１の貫通孔１３に設けられた筒状部材１４に外部側から押し込まれた際に、抜止め部２２の一対の挟持ストッパ片２３を弾力的に押し広げて通り抜けることにより、大径部１９によって弾力的に押し広げられた一対の挟持ストッパ片２３を元の形状に弾性復帰させることができ、これにより一対の挟持ストッパ片２３間に軸部１５の小径部１８を良好に挟むことができる。
【００６３】
また、一対の挟持ストッパ片２３は、その間隔が軸部１５の小径部１８の外径とほぼ同じ長さで形成されていることにより、軸部１５の大径部１９が一対の挟持ストッパ片２３を弾力的に押し広げて通り抜けた際に、一対の挟持ストッパ片２３が元の状態に弾性復帰しても、一対の挟持ストッパ片２３間に軸部１５の小径部１８をその軸方向に沿ってスライド可能な状態で確実にかつ良好に挟むことができると共に、大径部１９によって釦部材１２が腕時計ケース１の外部に抜け出すのを確実に防ぐことができる。
【００６４】
また、一対の挟持ストッパ片２３は、中枠８を腕時計ケース１内から抜き出す方向と反対側に位置する各端部間が開放されていることにより、中枠８を時計モジュール７と共に腕時計ケース１内から取り出す際に、釦部材１２の小径部１８を一対の挟持ストッパ片２３間に沿って相対的に移動させて、開放された端部間から簡単にかつ良好に離脱させることができる。
【００６５】
すなわち、腕時計ケース１内から時計モジュール７と共に中枠８を、腕時計ケース１の下側に取り出す際には、釦部材１２の小径部１８が一対の挟持ストッパ片２３間に挟まれた状態で、一対の挟持ストッパ片２３に沿って小径部１８を相対的に円滑に移動させることができ、かつ一対の挟持ストッパ片２３の各上端部間から小径部１８を簡単にかつ容易に離脱させることができるので、腕時計ケース１内から時計モジュール７を中枠８と共に簡単にかつ容易に取り出すことができ、これにより分解作業を容易にすることができる。
【００６６】
また、釦部材１２の大径部１９は、腕時計ケース１の内部側に位置する先端側から腕時計ケース１の外部側に向けて次第に外径が大きくなる押し広げ面１９ａと、釦部材１２の軸部１５が腕時計ケース１の外部に向けて押し出された際に腕時計ケース１の内部側に位置する一対の挟持ストッパ片２３の各内側面に当接する当接面１９ｂと、を備えていることにより、大径部１９の押し広げ面１９ａが腕時計ケース１内に突出して一対の挟持ストッパ片２３間に押し込まれる際に、大径部１９の押し広げ面１９ａによって一対の挟持ストッパ片２３を徐々に押し広げることができ、これにより大径部１９を円滑にかつ良好に通過させることができる。
【００６７】
また、この釦部材１２では、大径部１９の押し広げ面１９ａが一対の挟持ストッパ片２３を押し広げて通過した際に、一対の挟持ストッパ片２３が元の状態に弾性復帰して、一対の挟持ストッパ片２３間に軸部１５の小径部１８がその軸方向にスライド可能な状態で挟まれることにより、釦部材１２が腕時計ケース１の外部に押し出された際に、大径部１９の当接面１９ｂを腕時計ケース１の内部側に位置する一対の挟持ストッパ片２３の各内側面に確実に当接させることができるので、釦部材１２が腕時計ケース１の外部に抜け出すのを確実に阻止することができる。
【００６８】
この場合、釦部材１２の軸部１５の小径部１８は、その外径が軸部１５の外径よりも小さく形成され、かつ軸方向の長さが軸部１５の大径部１９から頭部１６に向けて軸部１５の操作ストロークとほぼ同じ長さで形成されていることにより、釦部材１２が腕時計ケース１内に向けて押し込まれた際に、軸部１５の小径部１８を腕時計ケース１内に確実に突出させることができると共に、釦部材１２を円滑にかつ良好にスライド操作させることができる。
【００６９】
また、この腕時計の組立方法によれば、時計モジュール７を組付部材である中枠８によって腕時計ケース１内に収納すると共に、中枠８に設けられた抜止め部２２を腕時計ケース１の貫通孔１３に対応させる第１の工程と、釦部材１２の軸部１５を腕時計ケース１の貫通孔１３に対して挿入し、軸部１５の大径部１９を腕時計ケース１内に突出させる際に、大径部１９によって抜止め部２２を弾力的に押し広げて大径部１９を通過させることにより、軸部１５の小径部１８をその軸方向にスライド可能な状態で抜止め部２２によって挟む第２の工程と、を備えていることにより、容易に組立作業をすることができる。
【００７０】
すなわち、この腕時計の組立方法では、腕時計ケース１内に時計モジュール７を組付部材である中枠８によって組み込んだ状態で、釦部材１２を腕時計ケース１の貫通孔１３に対して挿入することができるので、釦部材１２を腕時計ケース１に簡単にかつ容易に取り付けることでき、これにより時計モジュール７が釦部材１２による制約を受けることがなく、容易に組立作業をすることができる。
【００７１】
また、この腕時計の組立方法では、組付部材である中枠８と共に時計モジュール７を腕時計ケース１内から取り出す際に、釦部材１２の小径部１８を抜止め部２２で挟んだ状態で、前記小径部を前記抜止め部に沿って相対的に移動させることにより、抜止め部２２から小径部１８を離脱させる第３の工程を備えていることにより、時計モジュール７を中枠８と共に腕時計ケース１内から取り出す際に、抜止め部２２から釦部材１２の小径部１８を離脱させることができるので、分解作業を容易にすることができる。
【００７２】
すなわち、この腕時計の組立方法では、腕時計ケース１内から時計モジュール７と共に中枠８を、腕時計ケース１の下側に取り出す際には、釦部材１２の小径部１８が抜止め部２２に挟まれた状態で、抜止め部２２に沿って小径部１８を相対的に移動させることができるので、抜止め部２２から小径部１８を簡単にかつ容易に離脱させることができ、これにより腕時計ケース１内から時計モジュール７を中枠８と共に簡単にかつ容易に取り出すことができるので、分解作業を容易にすることができる。
【００７３】
なお、上述した実施形態では、釦部材１２の大径部１９に押し広げ面１９ａを設け、一対の挟持ストッパ片２３の各外側面に傾斜面２３ｂをそれぞれ設けた場合について述べたが、必ずしも大径部１９に押し広げ面１９ａを設け、一対の挟持ストッパ片２３に各傾斜面２３ｂを設ける必要はなく、大径部１９の押し広げ面１９ａと一対の挟持ストッパ片２３の各傾斜面２３ｂとのいずれか一方を備えた構成であっても良い。
【００７４】
また、上述した実施形態では、釦部材１２の大径部１９に、腕時計ケース１の内部側に位置する先端側から腕時計ケース１の外部側に向けて次第に外径が大きくなる球状面の押し広げ面１９ａを設けた場合について述べたが、押し広げ面１９ａは必ずしも球状面である必要はなく、テーパ面であっても良く、また傾斜面であっても良い。
【００７５】
また、上述した実施形態では、抜止め部２２の一対の挟持ストッパ片２３が、中枠８の円周方向に沿って押し広げられる方向と、時計モジュール７側に向けて傾く方向とに、複合的に弾性変形するように構成されている場合について述べたが、これに限らず、いずれか一方向のみに弾性変形するように構成しても良いが、中枠８の円周方向に沿って押し広げられる方向に弾性変形するように構成されていることが望ましい。
【００７６】
さらに、上述した実施形態では、抜止め部２２が一対の挟持ストッパ片２３を備えている場合について述べたが、必ずしも一対の挟持ストッパ片２３を備えている必要はなく、片側のみの挟持ストッパ片２３を備えた構成であっても良い。この場合には、釦部材１２の大径部１９が片側のみの挟持ストッパ片２３を弾性変形させた後に、片側のみの挟持ストッパ片２３が釦部材１２の小径部１８の外周面に弾接するように構成されていれば良い。
【００７７】
また、上述した実施形態では、中枠８が時計モジュール７を収納する円筒形状に形成されている場合について述べたが、必ずしも円筒形状に限らず、時計モジュール７の下面を一部包むように中枠８が下面部を備えていても良い。この場合には、切欠き部２１を中枠８の下面部まで設け、この切欠き部２１内に抜け止め部２２を設けても良い。すなわち、抜け止め部２２を中枠８の下面部まで設け、上述した実施形態と同様に弾性変形する一対の挟持ストッパ片２３及び各切込部２３ａを設けても良い。一対の挟持ストッパ片２３がより弾性変形しやすくなり、釦部材１２を一対の挟持ストッパ片２３間に押し込みやすくなる。さらに中枠８の高さ方向の厚さを薄くできる。
【００７８】
また、上述した実施形態では、組付部材である中枠８に抜止め部２２を設けた場合について述べたが、組付部材は必ずしも中枠８である必要はなく、例えば時計モジュール７を腕時計ケース１内に押え付けるための押え部材に設けても良い。すなわち、この押え部材は、時計モジュール７と裏蓋５との間に配置されるものであり、この押え部材の外周縁に抜止め部２２の一対の挟持ストッパ片２３を起立させて設け、これら一対の挟持ストッパ片２３を時計モジュール７の外周面と腕時計ケース１の内周面との間に配置させるように構成しても良い。
【００７９】
さらに、上述した実施形態では、腕時計に適用した場合について述べたが、必ずしも腕時計である必要はなく、例えばトラベルウオッチ、目覚まし時計、置き時計、掛け時計などの各種の時計に適用することができる。また、必ずしも時計である必要はなく、携帯電話機や携帯情報端末機などの電子機器にも広く適用することができる。
【００８０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８１】
（付記）
請求項１に記載の発明は、モジュールが組み込まれ、かつ貫通孔が設けられたケースと、前記ケースの前記貫通孔に対してスライド可能に挿入され、かつ前記ケース内に突出する内端部に小径部と大径部とが設けられた軸部、および当該軸部の外端部に設けられた頭部を有する釦部材と、前記ケース内に組み込まれ、前記モジュールを前記ケース内に収納する組付部材と、前記組付部材に設けられ、かつ前記釦部材の前記軸部を前記ケースの前記貫通孔に対して挿入し、前記大径部を前記ケース内に突出させた際に、前記大径部によって弾力的に押し広げられて前記大径部を通過させることにより、前記小径部をその軸方向にスライド可能な状態で挟む抜止め部と、を備えていることを特徴とする押釦構造である。
【００８２】
請求項２に記載の発明は、請求項１に記載の押釦構造において、前記抜止め部は、互いに広がる方向に弾性変形する一対の挟持ストッパ片を備えていることを特徴とする押釦構造である。
【００８３】
請求項３に記載の発明は、請求項２に記載の押釦構造において、前記釦部材の前記大径部は、その外径が前記軸部の外径とほぼ同じ大きさで、前記ケースの内部側に位置する前記小径部の内端部に設けられ、前記軸部が前記ケースの前記貫通孔に対して外部側から押し込まれた際に、前記抜止め部の前記一対の挟持ストッパ片を弾力的に押し広げて通り抜けることを特徴とする押釦構造である。
【００８４】
請求項４に記載の発明は、請求項２または請求項３に記載の押釦構造において、前記抜止め部の前記一対の挟持ストッパ片は、その間隔が前記軸部の前記小径部の外径とほぼ同じ長さで、かつ前記組付部材を前記ケース内から抜き出す方向と反対側に位置する各端部間が開放されていることを特徴とする押釦構造である。
【００８５】
請求項５に記載の発明は、請求項２〜請求項４のいずれかに記載の押釦構造において、前記釦部材の前記大径部は、前記ケースの内部側に位置する先端側から前記ケースの外部側に向けて次第に外径が大きくなる押し広げ面と、前記軸部が前記ケースの外部に向けて押し出された際に前記ケースの内部側に位置する前記一対の挟持ストッパ片の各内側面に当接する当接面と、を備えていることを特徴とする押釦構造である。
【００８６】
請求項６に記載の発明は、請求項１〜請求項５のいずれかに記載の押釦構造において、前記釦部材の前記小径部は、その軸方向の長さが前記釦部材の操作ストロークとほぼ同じ長さに形成されていることを特徴とする押釦構造である。
【００８７】
請求項７に記載の発明は、請求項１〜請求項６のいずれかに記載された押釦構造を備えていることを特徴とする時計である。
【００８８】
請求項８に記載の発明は、モジュールを組付部材によってケース内に収納すると共に、前記組付部材に設けられた抜止め部を前記ケースの貫通孔に対応させる第１の工程と、釦部材の軸部を前記ケースの前記貫通孔に対して挿入し、前記軸部の大径部を前記ケース内に突出させる際に、前記大径部によって前記抜止め部を弾力的に押し広げて前記大径部を通過させることにより、前記軸部の小径部をその軸方向にスライド可能な状態で前記抜止め部によって挟む第２の工程と、を備えていることを特徴とする時計の組立方法である。
【００８９】
請求項９に記載の発明は、請求項８に記載の時計の組立方法において、前記組付部材と共に前記モジュールを前記ケース内から取り出す際に、前記釦部材の前記小径部を前記抜止め部で挟んだ状態で、前記小径部を前記抜止め部に沿って相対的に移動させることにより、前記抜止め部から前記小径部を離脱させる第３の工程を備えていることを特徴とする時計の組立方法である。
【符号の説明】
【００９０】
１  腕時計ケース
２  本体ケース部
３  上部ケース部
７  時計モジュール
８  中枠
１０  文字板
１２  釦部材
１３  貫通孔
１４  筒状部材
１４ａ  小径筒部
１４ｂ  大径筒部
１５  軸部
１６  頭部
１８  小径部
１９  大径部
１９ａ  押し広げ面
１９ｂ  当接面
２０  コイルばね
２１  切欠き部
２２  抜止め部
２３  挟持ストッパ片
２３ａ  切込部
【図１】
2016031257.tif 000003
【図２】
2016031257.tif 000004
【図３】
2016031257.tif 000005
【図４】
2016031257.tif 000006
【図５】
2016031257.tif 000007
【図６】
2016031257.tif 000008
【図７】
2016031257.tif 000009